(57)【要約】      （修正有）【課題】封水水位より高い所定水位まで超音波洗浄を行う超音波洗浄性能の向上と本体部内の水が入口部から水受け部に溢れ出てしまう逆流の防止とを両立させながら、第２排水流路の汚れの詰まりを抑制させ且つ第２排水流路の排出性能の低下を抑制させることができる排水装置を提供する。【解決手段】排水装置の第１排水流路１２は、頂部により入口部の高さ以下の所定水位を規定するように構成され、第１排水流路は、本体部内の水位が所定水位を超えないように、第１排水流路内の水を出口流路２２に排水させるように機能し、第２排水流路２６は、その流路の一部を絞る絞り部２８を備え、第２排水流路２６は、絞り部２８の単位時間あたりの排水量を超える単位時間あたりの流入量の水が本体部内に流入する場合に、本体部８内の水位を、封水水位より高く且つ所定水位まで少なくとも上昇させるように機能する。【選択図】図４
2020020135.tif 000002
【特許請求の範囲】
【請求項１】
水受け部の底部に設けられる排水装置であって、
上記水受け部側に開口される入口部を備えると共に自身の内部に封水を形成する本体部と、
上記本体部内の水に超音波を発振する超音波発振器と、
上記本体部の下流側に設けられる出口流路と、を備え、
上記本体部は、第１排水流路と、第２排水流路と、を備え、
上記第１排水流路は、上昇流路と、上記上昇流路の下流側に設けられる下降流路とを備え、上記上昇流路と上記下降流路との間の頂部により上記入口部の高さ以下の所定水位を規定するように構成され、上記第１排水流路は、上記本体部内の水位が上記所定水位を超えないように、上記第１排水流路内の水を上記出口流路に排水させるように機能し、
上記第２排水流路は、上記本体部内の封水水位を規定するように構成されると共にその流路の一部を絞る絞り部を備え、上記第２排水流路は、上記第１排水流路よりも大きな流路抵抗を有するように形成され、上記第２排水流路は、上記絞り部の単位時間あたりの排水量を超える単位時間あたりの流入量の水が上記本体部内に流入する場合に、上記本体部内の水位を、上記封水水位より高く且つ上記第１排水流路により規定される上記所定水位まで少なくとも上昇させるように機能することを特徴とする排水装置。
【請求項２】
上記第２排水流路の上記絞り部は、上記第２排水流路の途中に設けられている、請求項１に記載の排水装置。
【請求項３】
上記本体部は、さらに、上記第２排水流路の入口部において複数の孔を形成し且つ汚れが上記第２排水流路に侵入することを抑制する侵入抑制部を備えている、請求項１又は２に記載の排水装置。
【請求項４】
上記侵入抑制部の上記複数の孔のうちの各孔の流路断面積は、上記第２排水流路の上記絞り部の流路断面積よりも小さく、且つ、上記第２排水流路の上記絞り部の最小の幅は、上記各孔の最小の幅以上である、請求項３に記載の排水装置。
【請求項５】
上記第２排水流路の入口部の流路断面は、扁平形状に形成され、上記第２排水流路の上記入口部の上記流路断面の長辺側部分が上記第１排水流路側に配置される、請求項１乃至４の何れか１項に記載の排水装置。
【請求項６】
上記第２排水流路の上記流路断面は、上記入口部から上記絞り部までの間において扁平形状から正方形形状に近づくように変化される、請求項５に記載の排水装置。
【請求項７】
上記第２排水流路の上記絞り部は、上記封水水位を規定する頂部よりも低く且つ上記頂部よりも上流側に配置される、請求項１乃至６の何れか１項に記載の排水装置。
【請求項８】
上記第２排水流路は、その上流側部分において上昇する第１傾斜部と、上記第１傾斜部よりも下流側に設けられると共に上記第１傾斜部より小さい傾きで上昇する第２傾斜部とを備え、上記第２排水流路の上記絞り部は、上記第２傾斜部上に配置される、請求項７に記載の排水装置。
【請求項９】
上記第２排水流路は、その入口部から上記絞り部までの流路の幅が徐々に小さくなるように形成されている、請求項１乃至８の何れか１項に記載の排水装置。
【請求項１０】
上記第２排水流路の上記絞り部は、上記第２排水流路の入口部と出口部との中間部分よりも下流側に配置される、請求項１乃至９の何れか１項に記載の排水装置。
【発明の詳細な説明】
【技術分野】
【０００１】
本発明は、排水装置に係り、特に、水受け部の底部に設けられる排水装置に関する。
【背景技術】
【０００２】
従来から、特許文献１に示すように、シンクの底面に設けられ且つ超音波発信器を備えている排水装置が知られている。この排水装置においては、使用者が排水装置の排水部の汚れを落とそうとする際、使用者は操作部のスイッチを入操作する。操作部の入操作により、排水部の排水弁が閉じられると共に給水弁が開かれて排水部内に水が給水される。排水部内に水が貯められた状態で超音波洗浄が行われ、排水部内の汚れが洗浄される。
【０００３】
また、特許文献２に示すように、シンクの底面に設けられ且つ超音波発信器を備えている排水装置が知られている。この排水装置においては、使用者が超音波洗浄を行う際、使用者は操作部の操作ボタンを押し、排水装置の排水孔を閉止させる。排水孔が閉じられた状態でシンクに水が流されると、水が排水装置の排水容器に溜められる。排水容器に水が貯められた状態で超音波洗浄が行われ、排水部内の汚れが洗浄される。
【先行技術文献】
【特許文献】
【０００４】
【特許文献１】特開２００４−３２４１０８号公報
【特許文献２】特開２００７−２８５０９７号公報
【発明の概要】
【発明が解決しようとする課題】
【０００５】
しかしながら、上述のような従来の排水装置では、排水弁や排水孔が閉じられ排水部内に水が貯められている状態（例えば超音波洗浄中の状態）において水受け部であるシンクで水が使用された場合、その水は水受け部から排水部に流入するが、使用者が操作部の操作をしなければ水が排水部から水受け部に溢れ出てしまう懸念がある。このため、超音波洗浄中は水受け部において水を使用することが実質的に制限されてしまい、排水装置の使い勝手を著しく低下させてしまうという問題があった。
さらに、排水部において、封水水位より高い水位まで水を貯め、排水部のより上部まで超音波洗浄を行おうとすればするほど、水が排水部から水受け部に溢れ出やすくなり、水が排水部から水受け部に溢れ出てしまう逆流が問題となる。
【０００６】
そこで、本発明は、封水水位より高い所定水位まで超音波洗浄を行う超音波洗浄性能の向上と本体部内の水が入口部から水受け部に溢れ出てしまう逆流の防止とを両立させながら、第２排水流路の汚れの詰まりを抑制させ且つ第２排水流路の排出性能の低下を抑制させることを目的としている。
【課題を解決するための手段】
【０００７】
上述した課題を解決するために、本発明は、水受け部の底部に設けられる排水装置であって、上記水受け部側に開口される入口部を備えると共に自身の内部に封水を形成する本体部と、上記本体部内の水に超音波を発振する超音波発振器と、上記本体部の下流側に設けられる出口流路と、を備え、上記本体部は、第１排水流路と、第２排水流路と、を備え、上記第１排水流路は、上昇流路と、上記上昇流路の下流側に設けられる下降流路とを備え、上記上昇流路と上記下降流路との間の頂部により上記入口部の高さ以下の所定水位を規定するように構成され、上記第１排水流路は、上記本体部内の水位が上記所定水位を超えないように、上記第１排水流路内の水を上記出口流路に排水させるように機能し、上記第２排水流路は、上記本体部内の封水水位を規定するように構成されると共にその流路の一部を絞る絞り部を備え、上記第２排水流路は、上記第１排水流路よりも大きな流路抵抗を有するように形成され、上記第２排水流路は、上記絞り部の単位時間あたりの排水量を超える単位時間あたりの流入量の水が上記本体部内に流入する場合に、上記本体部内の水位を、上記封水水位より高く且つ上記第１排水流路により規定される上記所定水位まで少なくとも上昇させるように機能することを特徴としている。
本発明の発明者らは、鋭意研究することにより、特許文献１及び２のような排水装置とは異なり、第１排水流路及び第１排水流路よりも大きな流路抵抗を有するように形成された第２排水流路を備えた本体部を有する排水装置により、封水水位より高い所定水位まで超音波洗浄を行う超音波洗浄性能の向上と本体部内の水が入口部から水受け部に溢れ出てしまう逆流の防止とを両立させることを検討した。しかしながら、単に第２排水流路を第１排水流路よりも大きな流路抵抗を有するように形成したのでは、第２排水流路の汚れの詰まりが生じやすくなり且つ第２排水流路の排出性能が低下する懸念がある。
このように構成された本発明においては、第１排水流路は、上記本体部内の水位が上記所定水位を超えないように、上記第１排水流路内の水を上記出口流路に排水させるように機能している。これにより、本体部内の水位が上記所定水位を超えて、本体部内の水が入口部から水受け部に溢れ出てしまうことが抑制できる。さらに、第２排水流路は、上記本体部内に所定流量の水が流入する場合に、上記本体部内の水位を、上記封水水位より高く且つ上記第１排水流路により規定される上記所定水位まで少なくとも上昇させるように機能する。これにより、本体部内の水位を所定水位まで自動的に上昇させた状態において、封水水位より高い所定水位まで超音波発振器による超音波洗浄ができる。このように機能する本体部において、第２排水流路は、その流路の一部を絞る絞り部を備えている。仮に第２排水流路の全体にわたって絞り部を設ける場合には、汚れがつまりやすい部分が多くなるため、第２排水流路において汚れが詰まりやすくなり、汚れの排出性能が低下してしまう。本発明によれば、流路の一部を絞る絞り部により、本体部内に所定流量の水が流入する場合に、上記本体部内の水位を、上昇させやすくすることができると共に、汚れが詰まりやすい絞り部を第２排水流路の一部に形成させ、第２排水流路の汚れの詰まりを抑制することができ、第２排水流路の排出性能の低下を抑制することができる。よって、本発明によれば、封水水位より高い所定水位まで超音波洗浄を行う超音波洗浄性能の向上と本体部内の水が入口部から水受け部に溢れ出てしまう逆流の防止とを両立させながら、第２排水流路の汚れの詰まりを抑制させ且つ第２排水流路の排出性能の低下を抑制させることができる。
【０００８】
本発明において、好ましくは、上記第２排水流路の上記絞り部は、上記第２排水流路の途中に設けられている。
このように構成された本発明においては、第２排水流路の絞り部は、上記第２排水流路の途中に設けられている。これにより、第２排水流路の絞り部は、汚れの付着しやすい入口及び出口以外の部分において、流路を絞ることができる。従って、汚れが詰まりやすい絞り部を第２排水流路の途中の一部に形成させ、第２排水流路の汚れの詰まりをより抑制することができ、第２排水流路の排出性能の低下をより抑制することができる。
【０００９】
本発明において、好ましくは、上記本体部は、さらに、上記第２排水流路の入口部において複数の孔を形成し且つ汚れが上記第２排水流路に侵入することを抑制する侵入抑制部を備えている。
このように構成された本発明においては、上記第２排水流路の入口部において、複数の孔を形成し且つ汚れの侵入を抑制する侵入抑制部が形成されている。よって、侵入抑制部は、比較的大きな汚れの侵入を抑制すると共に、複数の孔により流路断面積の合計を比較的大きくすることができ、第２排水流路の単位時間あたりの排水量を比較的大きくすることができる。従って、第２排水流路の汚れの詰まりをより抑制することができ、第２排水流路の排出性能の低下をより抑制することができる。
【００１０】
本発明において、好ましくは、上記侵入抑制部の上記複数の孔のうちの各孔の流路断面積は、上記第２排水流路の上記絞り部の流路断面積よりも小さく、且つ、上記第２排水流路の上記絞り部の最小の幅は、上記各孔の最小の幅以上である。
このように構成された本発明においては、侵入抑制部の上記複数の孔のうちの各孔の流路断面積は、上記第２排水流路の上記絞り部の流路断面積よりも小さいので、第２排水流路内に流入する汚れの大きさが、侵入抑制部の複数の孔のうちの各孔の流路断面積より小さく、さらに絞り部の流路断面積よりも小さくされる。さらに、第２排水流路の上記絞り部の最小の幅は、上記各孔の最小の幅以上であり、第２排水流路内に流入する汚れが主に各孔の最小の幅以下の大きさとなるため、侵入した汚れが第２排水流路の絞り部を通過しやすくできる。これにより、第２排水流路の汚れの詰まりをより抑制することができ、第２排水流路の排出性能の低下をより抑制することができる。
【００１１】
本発明において、好ましくは、上記第２排水流路の入口部の流路断面は、扁平形状に形成され、上記第２排水流路の上記入口部の上記流路断面の長辺側部分が上記第１排水流路側に配置される。
このように構成された本発明においては、第２排水流路の入口部の流路断面積を比較的大きくした場合においても、扁平形状の流路断面の長辺側部分を第１排水流路側に配置することにより、第１排水流路のサイズを維持したまま、第１排水流路から外側方向への第２排水流路の拡張を抑制し、排水装置全体のサイズの増加を抑制することができる。従って、排水装置を比較的コンパクトに形成できる。
【００１２】
本発明において、好ましくは、上記第２排水流路の上記流路断面は、上記入口部から上記絞り部までの間において扁平形状から正方形形状に近づくように変化される。
このように構成された本発明においては、第２排水流路の上記流路断面は、上記入口部から上記絞り部までの間において扁平形状から正方形形状に近づくように変化される。
よって、絞り部の流路断面を正方形に近づけることができ、絞り部を形成しつつも流路の高さ及び幅のうちの最小値を比較的大きく形成させ、絞り部の汚れの詰まりをより抑制することができ、第２排水流路の排出性能の低下をより抑制することができる。
【００１３】
本発明において、好ましくは、上記第２排水流路の上記絞り部は、上記封水水位を規定する頂部よりも低く且つ上記頂部よりも上流側に配置される。
このように構成された本発明においては、絞り部が封水水位を規定する頂部よりも低く且つ上記頂部よりも上流側に配置されるので、絞り部が封水中に配置される。よって、絞り部に汚れが付着しにくくすることができる。
【００１４】
本発明において、好ましくは、上記第２排水流路は、その上流側部分において上昇する第１傾斜部と、上記第１傾斜部よりも下流側に設けられると共に上記第１傾斜部より小さい傾きで上昇する第２傾斜部とを備え、上記第２排水流路の上記絞り部は、上記第２傾斜部上に配置される。
このように構成された本発明においては、第２排水流路の絞り部は、第１傾斜部より小さい傾きで上昇する第２傾斜部上に配置されているので、本体部内の水位が所定水位から下降し、水頭圧が徐々に減少し、第２排水流路から排水される排水量が減少する場合や排水の終了に近づく場合であっても、第２排水流路の上記絞り部よりも下流側の汚れが第２傾斜部に沿って絞り部まで流下することを抑制できる。よって、絞り部に汚れが詰まることをより抑制することができる。さらに、本体部内の水位が所定水位から下降し、水頭圧が徐々に減少し、第２排水流路から排水される排水量が減少する場合や排水の終了に近づく場合であっても、第２排水流路は、第１傾斜部より小さい傾きで上昇する第２傾斜部を備えているので、第２排水流路の第２傾斜部からの排水が継続されやすく、汚れを第２傾斜部から出口流路に排出させやすくできる。よって、第２排水流路の汚れの詰まりをより抑制することができる。
【００１５】
本発明において、好ましくは、上記第２排水流路は、その入口部から上記絞り部までの流路の幅が徐々に小さくなるように形成されている。
このように構成された本発明においては、第２排水流路は、その入口部から上記絞り部までの流路の幅が徐々に小さくなるように形成されているので、第２排水流路内に流入する汚れが徐々に小さくなる流路の幅に沿って比較的スムーズに流れることができ、
第２排水流路において汚れが詰まりにくくできる。これにより、第２排水流路の汚れの詰まりをより抑制することができ、第２排水流路の排出性能の低下をより抑制することができる。
【００１６】
本発明において、好ましくは、上記第２排水流路の上記絞り部は、上記第２排水流路の入口部と出口部との中間部分よりも下流側に配置される。
このように構成された本発明においては、絞り部が第２排水流路の入口部と出口部との中間部分よりも下流側に配置されるので、第２排水流路の絞り部よりも下流側から絞り部に戻る汚れの量を比較的少なくすることができ、第２排水流路の汚れの詰まりをより抑制することができ、第２排水流路の排出性能の低下をより抑制することができる。
【発明の効果】
【００１７】
本発明の排水装置によれば、封水水位より高い所定水位まで超音波洗浄を行う超音波洗浄性能の向上と本体部内の水が入口部から水受け部に溢れ出てしまう逆流の防止とを両立させながら、第２排水流路の汚れの詰まりを抑制させ且つ第２排水流路の排出性能の低下を抑制させることができる。
【図面の簡単な説明】
【００１８】
【図１】本発明の第１実施形態による排水装置を備えた水栓システムを正面から見た正面図である。
【図２】本発明の第１実施形態による排水装置を備えた水栓システムを側面から見た側面図である。
【図３】図１のＩＩＩ−ＩＩＩ線に沿って見た断面図である。
【図４】図３の排水装置を拡大して示す拡大断面図である。
【図５】図４のＶ−Ｖ線に沿って見た断面図である。
【図６】図４のＶＩ−ＶＩ線に沿って見た断面図である。
【図７】図４のＶＩＩ−ＶＩＩ線に沿って見た断面図である。
【図８】図４のＶＩＩＩ−ＶＩＩＩ線に沿って見た断面図である。
【図９】図４のＩＸ−ＩＸ線に沿って見た断面図である。
【図１０】本発明の第１実施形態による排水装置の待機状態において汚れを含む水が流入した状態を示す部分拡大断面図である。
【図１１】本発明の第１実施形態による排水装置の本体部に水の流入が開始された状態を示す部分拡大断面図である。
【図１２】本発明の第１実施形態による排水装置の本体部にさらに水が流入し、流入した水が第２排水流路を介して出口流路に流出されると共に、第１排水流路の上昇部内の水位を上昇させる状態を示す部分拡大断面図である。
【図１３】本発明の第１実施形態による排水装置の本体部にさらに水が流入し、第１排水流路内の水位が所定水位まで到達した状態を示す部分拡大断面図である。
【図１４】本発明の第１実施形態による排水装置の本体部への水の流入が停止し、第２排水流路の入口より上方の水が第２排水流路を介して出口流路に流出され、第１排水流路内の水位が徐々に低下する状態を示す部分拡大断面図である。
【図１５】図１４に示す状態から、さらに第２排水流路の入口より上方の水が第２排水流路を介して出口流路に流出され、第１排水流路内の水位が徐々に低下する状態を示す部分拡大断面図である。
【図１６】本発明の第１実施形態による排水装置において一連の洗浄動作の終了後に待機状態に戻った様子を示す部分拡大断面図である。
【図１７】本発明の第２実施形態による排水装置を備えた水栓システムを側面から見た側面図である。
【図１８】図１７のＸＶＩＩＩ−ＸＶＩＩＩ線に沿って見た断面図である。
【図１９】図１８のＸＩＸ−ＸＩＸ線に沿って見た断面図である。
【発明を実施するための形態】
【００１９】
以下、添付図面を参照して本発明の第１実施形態による排水装置について説明する。
図１は本発明の第１実施形態による排水装置を備えた水栓システムを正面から見た正面図であり、図２は本発明の第１実施形態による排水装置を備えた水栓システムを側面から見た側面図である。
図１及び図２に示すように、本発明の第１実施形態による排水装置１は、水栓システム２に設けられている。水栓システム２は、キッチンに設けられるキッチンシステムである。水栓システム２は、洗面台システム、浴室に設けられる浴室システム、又は水が流入する後述する水受け部６を備えた他のシステムであってもよい。
【００２０】
水栓システム２は、水を供給する水栓装置４と、水栓装置４から供給された水を受ける水受け部６とを備えている。水栓装置４は、給水源（図示せず）から供給される水、湯等を吐水する。水受け部６は、水栓装置４から吐水された水を下流側に排出するように形成される。
【００２１】
次に、図１乃至図４を参照して、本発明の第１実施形態による排水装置について説明する。
図３は図１のＩＩＩ−ＩＩＩ線に沿って見た断面図であり、図４は図３の排水装置を拡大して示す拡大断面図である。
排水装置１は、水受け部６の底部６ａに設けられる。図４に示すように、排水装置１は、本体部８を備え、この本体部８は、水受け部６側に開口される入口部１０と、入口部１０の下流側に設けられるトラップ形状の流路である第１排水流路１２と、第１排水流路１２から分岐される第２排水流路２６と、一定の大きさの汚れが第２排水流路２６に侵入することを抑制する侵入抑制部３０を備えている。入口部１０は、底部６ａの一部が底面６ｂよりも下方に窪むことにより形成されている。なお、本体部８には、水受け部６からの流路とは別の水の供給流路が接続されていてもよい。別の水の供給流路は、別の給水源（図示せず）に接続される。本体部８内に流入する水には、水受け部６からの流路とは別の水の供給流路から本体部８内に流入する水も含まれる。また、本体部８内に流入する水には、洗剤、シャンプー、ボディーソープ、食器の汚れ、水受け部の汚れ等のいずれかを含むような水、例えば生活排水も含まれる。
【００２２】
排水装置１は、さらに、入口部１０の上方を覆うように配置される蓋１４と、本体部８内の水に超音波を発振する超音波発振器１６と、本体部８内の水位を検知する水位検知センサ１８と、超音波発振器１６の作動を制御する制御部２０と、本体部８の第１排水流路１２の下流側に設けられる出口流路２２と、本体部８内の流路上に設けられ且つ網目を有する網かご２４とを備えている。
【００２３】
蓋１４は、底面６ｂと並べて配置され、底面６ｂと連続した底面を形成するように配置される。蓋１４には、水やごみ等の小物体が流入する孔（図示せず）が形成されている。
超音波発振器１６は、本体部８内の入口部１０の下方に設けられている。超音波発振器１６は、制御部２０と電気的に接続されている。
水位検知センサ１８は、入口部１０近傍に設けられ、入口部１０まで上昇した水位を検知することができる。水位検知センサ１８は、制御部２０と電気的に接続されている。
制御部２０は、ＣＰＵ及びメモリ等を内蔵し、水位検知センサ１８から送信される水位検知信号を受信する機能を有すると共にメモリに記憶された所定の制御プログラム等に基づいて超音波発振器１６の動作を制御する。
【００２４】
網かご２４は、入口部１０の下方側の流路全体を覆うように形成される。網かご２４は、底部６ａの下方に窪んだ窪みの内部において入口部１０の下方側に配置される。網かご２４の上端は入口部１０に配置されている。網かご２４は、水を通過させる一方、ごみ等の小物体を通過させずに網かご２４内に留めるようになっている。
【００２５】
出口流路２２は、第１排水流路１２の下流端に接続され、鉛直方向下方に延びている。出口流路２２は、さらに下流側の排水配管（図示せず）に接続される。出口流路２２は、その一部が本体部８によって形成されていてもよい。
【００２６】
侵入抑制部３０は、第２排水流路２６の入口部２６ａに形成されている。侵入抑制部３０は、板状体に複数の貫通孔３２を形成している。侵入抑制部３０は、一定の大きさ及び形状の汚れ（例えば小物体状の汚れ）の侵入を抑制すると共に通過する汚れの大きさを制限できる。侵入抑制部３０は網状構造に形成されていてもよい。侵入抑制部３０は、第２排水流路２６の入口部２６ａに配置されると共に第１排水流路１２の底面とほぼ面一に配置される。複数の貫通孔３２は、それぞれ正方形の四角孔を形成している。なお、貫通孔３２は、円形、鼓形状など、他の形状であってもよい。
【００２７】
次に、図４乃至図９を参照して、本発明の第１実施形態による排水装置の第１排水流路１２及び第２排水流路２６について説明する。
排水装置１の本体部８の第１排水流路１２は、入口部１０の下方に接続される接続部１２ａと、排水トラップを形成するように下流側に向けて斜め上方に上昇する上昇流路である第１排水流路上昇部１２ｂと、第１排水流路上昇部１２ｂと下降部１２ｄとの間において排水トラップの第１排水流路上昇部１２ｂと接続する折り返し部分である頂部１２ｃと、第１排水流路上昇部１２ｂの下流側に設けられ且つ頂部１２ｃから下降する下降流路である下降部１２ｄとを備えている。下降部１２ｄは出口流路２２と接続される。
【００２８】
第１排水流路１２は、第１排水流路上昇部１２ｂから下降部１２ｄに向けて折り返すトラップ形状の流路である。第１排水流路上昇部１２ｂは下流側に向けて斜めに上昇するように形成されている。下降部１２ｄは第１排水流路上昇部１２ｂの下流端に接続され且つほぼ鉛直方向下方に延びるように形成されている。本体部８の内部の接続部１２ａ、第１排水流路上昇部１２ｂ及び第２排水流路２６において後述するように封水が形成され、封水水位Ｗ２（図１０参照）が規定される。また、第１排水流路１２は、トラップ形状の流路の頂部１２ｃにより入口部１０の高さ以下の所定水位Ｗ１（図１３参照）を規定するように構成されている。所定水位Ｗ１は、網かご２４の底面よりも高い位置、例えば網かご２４の上部に規定されている。所定水位Ｗ１は、網かご２４の上方に規定されていてもよい。第１排水流路１２の頂部１２ｃが、本体部８の入口部１０の高さに設けられることにより、第１排水流路１２により規定される所定水位Ｗ１は、本体部８の入口部１０の高さとされる。第１排水流路１２は、後述する単位時間あたりの第２排水量よりも大きな単位時間あたりの第１排水量を出口流路２２に排水できるような第１の流路断面積Ｄ１に形成されている。第１の流路断面積Ｄ１は、第１排水流路１２の流路断面積のうち最小の流路断面積である。
【００２９】
第２排水流路２６は、第１排水流路１２の頂部１２ｃより上流側に設けられた第２排水流路２６の入口部２６ａから頂部１２ｃより下流側に設けられた出口部２６ｂまで延びるバイパス流路を形成する。第２排水流路２６は、入口部２６ａから下流側に向けて斜め上方に上昇する上昇流路である第２排水流路上昇部２６ｈと、入口部２６ａと出口部２６ｂとの間において最も高い部分を形成し且つ折り返し部分を形成する頂部２６ｃと、第２排水流路上昇部２６ｈの下流側に設けられ且つ頂部２６ｃから下降する下降流路である第２排水流路下降部２６ｉとを備えている。
【００３０】
第２排水流路２６の入口部２６ａは、第１排水流路１２の第１排水流路上昇部１２ｂの下面に接続されている。入口部２６ａは、本体部８の入口部１０の下方の底部の高さに位置している。第２排水流路２６の出口部２６ｂは、出口流路２２の側壁に接続されている。出口部２６ｂは頂部１２ｃよりも低い位置に形成される。出口部２６ｂは、第１排水流路１２の下降部１２ｄの側壁に接続されていてもよい。入口部２６ａは、第２排水流路２６の流路の最も低い部分を構成する。入口部２６ａは、接続部１２ａの底面とほぼ同じ高さに配置される。入口部２６ａは、第１排水流路１２の入口部とほぼ同じ位置又は近接して配置される。第２排水流路２６は、入口部２６ａから出口部２６ｂまで斜め上方に上昇する上昇流路である第２排水流路上昇部２６ｈを形成する。
【００３１】
第２排水流路２６は、入口部２６ａと出口部２６ｂとの間に最も高い部分を形成し且つ折り返し部分を形成する頂部２６ｃを形成している。第２排水流路２６は、自身の形状及び配置により封水水位を規定している。具体的には、第２排水流路２６は、頂部２６ｃにより本体部８内の封水水位Ｗ２（図１２参照）を規定するように構成されている。なお、第２排水流路２６は、例えば第２排水流路２６の中間部分又はその出口が流路の最も高い部分を構成することにより封水水位Ｗ２を規定するように構成されてもよい。また、封水水位Ｗ２は、第２排水流路２６以外の構成により規定されていてもよい。封水水位Ｗ２は、網かご２４より下方に規定される。封水水位Ｗ２は、第１排水流路上昇部１２ｂの中央近傍又は下側部分に位置し、本体部８の中央近傍又は下側部分に位置している。第２排水流路２６の頂部２６ｃは、第１排水流路１２の頂部１２ｃよりも低い高さに設けられている。
【００３２】
また、第２排水流路２６の第２排水流路上昇部２６ｈは、その上流側部分において上昇する第１傾斜部２６ｆと、第１傾斜部２６ｆよりも下流側に設けられると共に第１傾斜部２６ｆより小さい傾きで上昇する第２傾斜部２６ｇとを備えている。すなわち、第２傾斜部２６ｇが水平方向に対してなす角度は、第１傾斜部２６ｆが水平方向に対してなす角度よりも小さい。第１傾斜部２６ｆは、第１排水流路１２の傾斜と近い傾斜を有している。第２排水流路２６の絞り部２８は、第２傾斜部２６ｇ上に配置される。絞り部２８は、第１傾斜部２６ｆと、第２傾斜部２６ｇとの境の境部分においても形成されている。
【００３３】
また、第２排水流路２６の第２排水流路下降部２６ｉは、第２傾斜部２６ｇよりも下流側に設けられると共に下流側に向けて下方に傾斜する第３傾斜部２６ｍを備えている。
【００３４】
また、第２排水流路２６は、第１排水流路１２の第１排水流路上昇部１２ｂと、第１排水流路１２の下降部１２ｄ及び出口流路２２との間に挟まれた概ね三角形状の空間Ｊ内に設けられている。上面視で第２排水流路２６は、第１排水流路１２と重なり合うように配置され、第２排水流路２６は、第１排水流路１２よりも左右方向の内側に形成される。第２排水流路２６は、第１排水流路１２の下方の空間Ｊ内において第１排水流路上昇部１２ｂに沿って上昇した後、下流側の出口流路２２に向かって横向きに延びている。
【００３５】
第２排水流路２６は、さらに、その流路の一部を絞る絞り部２８を備えている。第２排水流路２６の絞り部２８は、第２排水流路２６の途中に設けられている。また、第２排水流路２６の絞り部２８は、第２排水流路２６の入口部２６ａと出口部２６ｂとの中間部分２６ｄよりも下流側に配置されている。中間部分２６ｄは、上面視で、入口部２６ａと出口部２６ｂとの中間位置を含む中間部分として規定されてもよく、側面視で、入口部２６ａと出口部２６ｂとの中間の高さ位置を含む中間部分として規定されてもよく、入口部２６ａと出口部２６ｂとの距離の中間位置を含む中間部分として規定されてもよい。第２排水流路２６の絞り部２８は、封水水位Ｗ２を規定する頂部２６ｃよりも低く且つ頂部２６ｃよりも上流側に配置される。絞り部２８の上端２８ａ（図７参照）も頂部２６ｃよりも低い位置に配置されている。
【００３６】
第２排水流路２６の入口部２６ａから絞り部２８の直前までの流路の高さは、ほぼ一定の高さＨ１である。第２排水流路２６の絞り部２８の流路の高さは、高さＨ１よりも低い高さＨ２である。第２排水流路２６の絞り部２８の下流側から出口部２６ｂまでの流路の高さは、ほぼ一定の高さＨ１である。第２排水流路２６の入口部２６ａの流路の高さに対する絞り部２８の流路の高さの変化割合はＨ２／Ｈ１＝Ｃ１により算定される。
【００３７】
図５に示すように、第２排水流路２６の入口部２６ａの流路断面は、扁平形状に形成されている。入口部２６ａの流路断面は、長方形形状である。第２排水流路２６の入口部２６ａの流路断面の長辺側部分２６ｅが、第１排水流路１２側に配置され、第１排水流路１２の第１排水流路上昇部１２ｂの流路断面の長辺側部分となる下面１２ｅと平行に延びている。第２排水流路２６は、その入口部２６ａから絞り部２８までの流路の幅が徐々に小さくなるように形成されている。第２排水流路２６は、絞り部２８の下流側において再び流路の幅が大きくなるように形成されている。第２排水流路２６の入口部２６ａの流路の幅Ｂ２は、第２排水流路２６の入口部２６ａと絞り部２８との間の中間部分２６ｄの流路の幅Ｂ３よりも大きい。第２排水流路２６の入口部２６ａの流路の幅Ｂ２は、絞り部２８の流路の幅Ｂ４よりも大きい。中間部分２６ｄの流路の幅Ｂ３は、絞り部２８の流路の幅Ｂ４よりも大きい。絞り部２８の下流側の流路の幅Ｂ５は、入口部２６ａの流路の幅Ｂ２とほぼ同じである。第２排水流路２６の入口部２６ａの流路の幅に対する絞り部２８の流路の幅の変化割合はＢ４／Ｂ２＝Ｃ２により算定される。第２排水流路２６の入口部２６ａから絞り部２８までの流路の高さの変化割合Ｃ１は、幅の変化割合Ｃ２より大きい。すなわち、流路の高さの変化割合に比べて、流路の幅の変化割合が大きくなっている。
【００３８】
第２排水流路２６の流路断面は、入口部２６ａから絞り部２８までの間において扁平形状から正方形形状に近づくように変化される。第２排水流路２６は、絞り部２８において、流路の幅Ｂ４と流路の高さＨ２とがほぼ同じであり、概ね正方形形状の流路断面を形成している。なお、絞り部２８は円形形状の流路断面を形成していてもよい。
【００３９】
第２排水流路２６は、絞り部２８において、単位時間あたりに第２排水量を出口流路２２に排水できるような第２の流路断面積Ｄ２に形成されている。第２の流路断面積Ｄ２は、第２排水流路２６の流路断面積のうち最小の流路断面積である。第２排水流路２６の第２の流路断面積Ｄ２は第１排水流路１２の第１の流路断面積Ｄ１よりも小さい。よって、第２排水流路２６は、絞り部２８により第１排水流路１２よりも大きな流路抵抗を有するように形成されている。第２排水流路２６は、第２排水流路２６の絞り部２８の単位時間あたりの第２排水量を超える単位時間あたりの流入量の水が本体部８内に流入する場合に、本体部８内の水位を、封水水位Ｗ２より高く且つ第１排水流路１２により規定される所定水位Ｗ１まで少なくとも上昇させるように機能する。
【００４０】
第２排水流路２６の第２排水流路上昇部２６ｈの下面２６ｊにおける最下部２６ｋと最上部２６ｌとを結ぶ直線Ｇが水平方向に延びる水平線Ｉに対してなす角度α２は、第１排水流路１２の第１排水流路上昇部１２ｂの下面１２ｅにおける最下部１２ｇと最上部１２ｈとを結ぶ直線Ｈが水平方向に延びる水平線Ｉに対してなす角度α１よりも小さい。最下部２６ｋは、第２排水流路２６の最も上流側の部分に位置し、最上部２６ｌは頂部２６ｃに位置している。最下部１２ｇは、第１排水流路上昇部１２ｂの最も上流側の部分に位置し、最上部１２ｈは頂部１２ｃに位置している。
【００４１】
第２排水流路２６の第２排水流路上昇部２６ｈの下面２６ｊにおける最下部２６ｋから最上部２６ｌまでの流路の長さＬ２は、第１排水流路１２の第１排水流路上昇部１２ｂの下面１２ｅにおける最下部１２ｇから最上部１２ｈまでの流路の長さＬ１よりも短い。
【００４２】
侵入抑制部３０の複数の貫通孔３２のうちの各貫通孔３２の流路断面積Ｄ３（図６参照）は、第２排水流路２６の絞り部２８の第２の流路断面積Ｄ２よりも小さい。また、第２排水流路２６の絞り部２８の流路の左右方向の最小の幅Ｂ４は、各貫通孔３２の流路の左右方向の最小の幅Ｂ１以上である。なお、貫通孔３２が円形である場合には、貫通孔３２の幅Ｂ１は、直径により規定される。
【００４３】
第１排水流路１２及び第２排水流路２６は、本体部８内の水位が所定水位Ｗ１を超えないように、本体部８内に流入する水を出口流路２２に排水させる排水手段として機能する。少なくとも第１排水流路１２は、本体部８内の水位が所定水位Ｗ１を超えないように、第１排水流路１２内の水を出口流路２２に排水させるように機能する。排水手段は、第１排水流路１２及び第２排水流路２６により、本体部８内の水位が所定水位Ｗ１に到達した場合、本体部８から出口流路２２に流出する水の単位時間あたりの排水量が本体部８内に流入する水の単位時間あたりの流入量以上にされるように形成されている。排水手段は、第１排水流路１２及び第２排水流路２６により、本体部８内の水位が所定水位Ｗ１に到達した状態から、本体部８内に水が第２排水量を超える流入量でさらに流入されている間、本体部８内の水位を所定水位Ｗ１に維持するように形成されている。なお、本体部８内の水位を所定水位Ｗ１に維持する状態とは、本体部８内の水位の変動を抑制する状態である。本体部８内の水位を所定水位Ｗ１に維持する状態には、本体部８内の水位を所定水位Ｗ１に維持しようとする状態が含まれ、本体部８内の水位が多少変動したとしても本体部内の水位が所定水位Ｗ１近傍において概ね維持される状態が含まれる。
【００４４】
また、第１排水流路１２及び第２排水流路２６は、本体部８内に流入する水により、本体部８内の水位を、第１排水流路上昇部１２ｂ内の封水水位Ｗ２より高く且つ入口部１０の高さ以下の所定水位Ｗ１まで上昇させる水位上昇手段として機能する。少なくとも第２排水流路２６は、絞り部２８の単位時間あたりの第２排水量を超える単位時間あたりの流入量の水が本体部８内に流入する場合に、本体部８内の水位を、封水水位Ｗ２より高く且つ所定水位Ｗ１まで少なくとも上昇させるように機能する。この水位上昇手段は、第１排水流路１２及び第２排水流路２６により、本体部８内の水位を封水水位Ｗ２より高く且つ所定水位Ｗ１まで上昇させる間、本体部８内に流入する水の単位時間当たりの流入量よりも本体部８から出口流路２２に流出する水の単位時間あたりの排水量を小さくさせ、本体部８内に流入する水を出口流路２２に流出させながら本体部８内の水位を上昇させるように形成される。
【００４５】
次に、図１０乃至図１６により、上述した本発明の第１実施形態による排水装置の動作（作用）を説明する。
図１０は本発明の第１実施形態による排水装置の待機状態において汚れを含む水が流入した状態を示す部分拡大断面図であり、図１１は本発明の第１実施形態による排水装置の本体部に水の流入が開始された状態を示す部分拡大断面図であり、図１２は本発明の第１実施形態による排水装置の本体部にさらに水が流入し、流入した水が第２排水流路を介して出口流路に流出されると共に、第１排水流路の上昇部内の水位を上昇させる状態を示す部分拡大断面図であり、図１３は本発明の第１実施形態による排水装置の本体部にさらに水が流入し、第１排水流路内の水位が所定水位まで到達した状態を示す部分拡大断面図であり、図１４は本発明の第１実施形態による排水装置の本体部への水の流入が停止し、第２排水流路の入口より上方の水が第２排水流路を介して出口流路に流出され、第１排水流路内の水位が徐々に低下する状態を示す部分拡大断面図であり、図１５は図１４に示す状態から、さらに第２排水流路の入口より上方の水が第２排水流路を介して出口流路に流出され、第１排水流路内の水位が徐々に低下する状態を示す部分拡大断面図であり、図１６は本発明の第１実施形態による排水装置において一連の洗浄動作の終了後に待機状態に戻った様子を示す部分拡大断面図である。図１０乃至図１６において、本体部内において水が貯留している部分を点線により図示している。
【００４６】
図１０には、水栓装置４から吐水がなされる前の待機状態が示されている。待機状態においては本体部８内の水位は第１排水流路１２の第１排水流路上昇部１２ｂ及び接続部１２ａ及び第２排水流路２６において封水水位Ｗ２となっている。接続部１２ａと第１排水流路上昇部１２ｂとの間の天井部１２ｆが封水水位Ｗ２より下方に位置する（頂部２６ｃより下方に位置する）ので、待機状態において、出口流路２２と入口部１０とが空気的に遮断され、臭気が出口流路２２から入口部１０に上がってくることが確実に防止されている。待機状態においては、水栓装置４は止水された状態であり、超音波発振器１６も停止された状態である。待機状態において、使用者が汚れＥを含むような水を水受け部６に流すと、この水が本体部８に流入する。例えば、図１０に示すように、汚れＥが接続部１２ａ、入口部１０、網かご２４等に付着した状態となる。
【００４７】
図１１に示すように、水栓装置４からの吐水が行われると、矢印Ｆ１に示すように、水が水受け部６の底面６ｂから蓋１４を通って入口部１０に流入する。矢印Ｆ２に示すように、入口部１０に流入した水は、網かご２４を通過してさらに流下する。次いで、矢印Ｆ３に示すように、網かご２４から流下する水は、第１排水流路１２の接続部１２ａ内に供給される。矢印Ｆ４に示すように、第１排水流路１２の接続部１２ａ内に供給された水は、侵入抑制部３０から第２排水流路２６の入口部２６ａに流入する。侵入抑制部３０において、複数の貫通孔３２が形成されているので、比較的大きな形状の汚れＥの第２排水流路２６への侵入が抑制される。一方で、侵入抑制部３０は、複数の貫通孔３２により流路断面積の合計（各開口面積の合計）を比較的大きくすることができている。よって、第２排水流路２６の単位時間あたりの排水量を比較的大きくすることができる。従って、第２排水流路２６の汚れＥの詰まりをより抑制することができ、第２排水流路２６の排出性能の低下をより抑制することができる。
【００４８】
矢印Ｆ５に示すように、第２排水流路２６の入口部２６ａに流入した水は、第１傾斜部２６ｆを上昇し、絞り部２８を通過する。矢印Ｆ６に示すように、絞り部２８を通過した水は第２傾斜部２６ｇに沿って上昇し、頂部２６ｃを超えて出口部２６ｂに至る。矢印Ｆ７に示すように、出口部２６ｂから流出する水は、出口流路２２に排水される。第２排水流路２６は、単位時間あたりに第２排水量を出口流路２２に排水できる。
【００４９】
絞り部２８の単位時間あたりの第２排水量（又は一定時間あたりの総排水量）を超える単位時間あたりの流入量（又は一定時間あたりの総流入量）の水が本体部８内に流入する場合、水が第２排水流路２６から流出しきれず、本体部８内に貯留する。よって、矢印Ｆ８に示すように、第１排水流路１２及び第２排水流路２６により、本体部８内に流入する水を第２排水流路２６を介して出口流路２２に流出させながら本体部８の接続部１２ａ及び第１排水流路上昇部１２ｂ内の水位を自動的に上昇させる。このとき、使用者の操作がなくとも水位が自動的に上昇する。第２排水流路２６は、その流路の一部を絞る絞り部２８を備えているので、単位時間当たりの第２排水量を比較的低く抑制することができ、比較的少量の水によって第１排水流路上昇部１２ｂ内の水位を上昇させることができる。
【００５０】
図１２において矢印Ｆ９に示すように、さらに水が本体部８内に流入するとき、本体部８内に流入する水が、矢印Ｆ１０に示すように第２排水流路２６を介して出口流路２２に流出されると共に、矢印Ｆ１１に示すように本体部８の接続部１２ａ及び第１排水流路上昇部１２ｂ内の水位を上昇させる。
【００５１】
図１３において矢印Ｆ１２に示すように、さらに水が本体部８内に流入するとき、第１排水流路１２の第１排水流路上昇部１２ｂ内の水位が第１排水流路１２の頂部１２ｃにより規定される所定水位Ｗ１まで上昇される。第１排水流路１２内の水位が所定水位Ｗ１まで到達した状態においては、本体部８内に流入する水が、矢印Ｆ１３に示すように第２排水流路２６を介して出口流路２２に流出されると共に、矢印Ｆ１４に示すように第１排水流路１２の頂部１２ｃから下降部１２ｄに流出される。
【００５２】
図１３において、第１排水流路１２内の水位が所定水位Ｗ１に到達した状態から、本体部８内に水が第２排水量を超える流入量でさらに流入されても、本体部８内の水位は所定水位Ｗ１に維持される。このとき、所定水位Ｗ１は、入口部１０の高さであり、網かご２４の上部に位置する。よって、本体部８の入口部１０以下の高さにある汚れＥが付着しやすい流路部分、例えば入口部１０、網かご２４、第２排水流路２６の入口部２６ａ、中間部分２６ｄ及び絞り部２８、侵入抑制部３０、第１排水流路１２の接続部１２ａ、第１排水流路上昇部１２ｂ及び頂部１２ｃ等が概ね水に浸かっている。制御部２０は、水位検知センサ１８により水位が入口部１０まで上昇した所定水位Ｗ１となっていることを判定する。水位が所定水位Ｗ１である状態で制御部２０が超音波発振器１６を作動させることにより、本体部８の概ね全体に超音波Ｋを発振して超音波洗浄を行うことができ、さらに本体部８内の汚れＥが付着しやすい流路部分、例えば入口部１０、網かご２４、侵入抑制部３０、第２排水流路２６の入口部２６ａ及び絞り部２８等に超音波洗浄を行うことができる。
【００５３】
このように、第１排水流路１２及び第２排水流路２６により、本体部８内の水位が所定水位Ｗ１を超えないように、本体部８内に流入する水を出口流路２２に排水させている。これにより、本体部８内の水位が所定水位Ｗ１を超えて、本体部８内の水が入口部１０から水受け部６の底面６ｂに溢れ出てしまうことを防止することができる。
第２排水流路２６の単位時間あたりの第２排水量を超える単位時間あたりの流入量の水が本体部８内に流入し続ける場合において、単位時間あたりの流入量が第２排水流路２６の単位時間あたりの第２排水量及び第１排水流路１２の単位時間あたりの第１排水量の合計値を超えない限り、本体部内の水位の上昇を封水水位Ｗ２から所定水位Ｗ１までの間に制御することができる。なお、第２排水流路２６の単位時間あたりの第２排水量及び第１排水流路１２の単位時間あたりの第１排水量の合計値は、水栓装置４の通常の使用態様において水栓装置４から供給される水の供給量が、この合計値を超えないような値として設定されている。
【００５４】
さらに、本実施形態においては、使用者の従来の排水流路に設けられた排水弁等の閉止操作を不要とし、本体部８内に水が供給されることにより、第１排水流路１２及び第２排水流路２６の構成に基づいて、本体部８内の水位が所定水位Ｗ１まで自動的に到達し、入口部１０及び網かご２４等まで自動的に超音波洗浄を行うことができる。
【００５５】
図１３においては、矢印Ｆ１３に示すように、水が侵入抑制部３０の複数の貫通孔３２から第２排水流路２６に流入している。侵入抑制部３０の複数の貫通孔３２のうちの各貫通孔３２の流路断面積は、第２排水流路２６の絞り部２８の流路断面積よりも小さいので、第２排水流路２６内に流入する汚れＥの大きさが、侵入抑制部３０の複数の貫通孔３２のうちの各貫通孔３２の流路断面積より小さくされる。さらに、第２排水流路２６の絞り部２８の最小の幅Ｂ４は、各貫通孔３２の最小の幅Ｂ１以上であるので、第２排水流路２６内に流入する汚れＥが主に各貫通孔３２の最小の幅Ｂ１以下の大きさとなるため、この汚れＥが第２排水流路２６の絞り部２８を通過しやすくすることができる。これにより、第２排水流路２６の汚れＥの詰まりをより抑制することができる。
【００５６】
図１３においては、矢印Ｆ１３に示すように、水が本体部８の底部から第２排水流路２６の入口部２６ａに流入している。第２排水流路２６により、本体部８の入口部１０の下方の底部に溜まりやすい比較的重い汚れを排出しやすくでき、排水装置１の汚れの排出性能を向上させることができる。
【００５７】
図１３においては、矢印Ｆ１３に示すように、第２排水流路２６からの排水が継続している。第２排水流路２６は、その入口部２６ａから絞り部２８までの流路の幅が徐々に小さくなるように形成されているので、第２排水流路２６内に流入する汚れＥが徐々に小さくなる流路の幅に沿って比較的スムーズに流れることができ、第２排水流路２６において汚れＥが詰まりにくくできる。
また、第２排水流路２６の流路断面は、入口部２６ａから絞り部２８までの間において扁平形状から正方形形状に近づくように変化される。よって、絞り部２８の流路断面を正方形に近づけることができ、絞り部２８を形成しつつも流路の高さ及び幅のうちの最小値を比較的大きく形成させ、絞り部２８の汚れＥの詰まりをより抑制することができる。
【００５８】
図４及び図１３においては、矢印Ｆ１３に示すように、第２排水流路２６の第２の流路断面積Ｄ２が第１排水流路１２の第１の流路断面積Ｄ１よりも小さくされている場合であっても、第２排水流路２６が比較的緩やかな上り傾斜により形成され、頂部２６ｃが頂部１２ｃよりも低い位置に形成され、第２排水流路２６に流入した汚れＥを第２排水流路２６を通って出口流路２２まで排出するために必要な力が抑制でき、汚れＥが第２排水流路２６から出口流路２２に排出されやすくできる。
また、図４及び図１３に示すように、第２排水流路２６に流入した水が第２排水流路２６における最下部２６ｋから最上部２６ｌまでの流路を通る間に受ける圧力損失は、水が第１排水流路１２における最下部１２ｇから最上部１２ｈまでの流路を通る間に受ける圧力損失と比べて小さくなる。よって、水が第２排水流路２６を通過する際の流速の低下を比較的抑制することができる。汚れＥが第２排水流路２６から出口流路２２により排出されやすくできる。
【００５９】
図１４及び図１５に示すように、本体部８内への水の流入がなくなる又は水の流量が低下されるとき、矢印Ｆ１５及びＦ１６に示すように、第２排水流路２６の頂部１２ｃより上方の水が第２排水流路２６を介して出口流路２２に流出され、矢印Ｆ１７に示すように、第１排水流路１２の接続部１２ａ及び第１排水流路上昇部１２ｂの水位が徐々に低下する。第２排水流路２６は、水位が頂部１２ｃより上方にある場合には、排水を継続している。本体部８内の水位が所定水位Ｗ１から下がるに連れて、水頭圧が徐々に減少し、第２排水流路２６から排水される排水量が減少する。このように排水量が減少する場合や排水の終了の場合であっても、第２傾斜部２６ｇは、第１傾斜部２６ｆよりも小さい傾きで上昇するので、第２排水流路２６の絞り部２８よりも下流側の汚れＥが第２傾斜部２６ｇに沿って絞り部２８まで流下することを抑制できる。また、Ｆ１６に示すように、排水量が減少する場合、排水の終了間近の場合、及び排水の終了の場合であっても、第２排水流路２６からの排水が継続されやすく、汚れＥが第２排水流路２６から排出されやすくなり、第２排水流路２６の汚れＥの詰まりがより抑制できる。
【００６０】
また、絞り部２８が第２排水流路２６の入口部２６ａと出口部２６ｂとの中間部分よりも下流側に配置されるので、第２排水流路２６からの排水が弱まる又は停止した後に、絞り部２８よりも下流側から絞り部２８に流下する汚れＥの量を比較的少なくすることができ、第２排水流路２６の汚れＥの詰まりをより抑制することができる。
また、第２排水流路２６は、第２傾斜部２６ｇよりも下流側に設けられると共に下流側に向けて下方に傾斜する第３傾斜部２６ｍを備える。これにより、第２排水流路２６からの排水が弱まる又は停止する場合に、汚れＥが第２排水流路２６内の第３傾斜部２６ｍから第２傾斜部２６ｇ側に逆流することが抑制できる。
【００６１】
図１６に示すように、本体部８内への水の流入がなくなり、第１排水流路１２の接続部１２ａ及び第１排水流路上昇部１２ｂの水位が第２排水流路２６の頂部２６ｃまで低下すると、第２排水流路２６からの水の流出が終了し、排水装置１は待機状態に戻る。このとき本体部８内の水位は封水水位Ｗ２となっている。
待機状態において、絞り部２８が封水水位Ｗ２を規定する頂部２６ｃよりも低く且つ頂部２６ｃよりも上流側に配置されるので、絞り部２８が封水中に配置される。よって、絞り部２８に汚れＥが付着しにくく且つ汚れＥが絞り部２８に固着することを抑制することができる。
【００６２】
上述した本発明の第１実施形態による排水装置１によれば、第１排水流路１２は、本体部８内の水位が所定水位Ｗ１を超えないように、第１排水流路１２内の水を出口流路２２に排水させるように機能している。これにより、本体部８内の水位が所定水位Ｗ１を超えて、本体部８内の水が入口部１０から水受け部６に溢れ出てしまうことが抑制できる。さらに、第２排水流路２６は、本体部８内に所定流量の水が流入する場合に、本体部８内の水位を、封水水位Ｗ２より高く且つ第１排水流路１２により規定される所定水位Ｗ１まで少なくとも上昇させるように機能する。これにより、本体部８内の水位を所定水位Ｗ１まで自動的に上昇させた状態において、封水水位Ｗ２より高い所定水位Ｗ１まで超音波発振器１６による超音波洗浄ができる。
このように機能する本体部８において、第２排水流路２６は、その流路の一部を絞る絞り部２８を備えている。仮に第２排水流路２６の全体にわたって絞り部２８を設ける場合には、汚れがつまりやすい部分が多くなるため、第２排水流路２６において汚れが詰まりやすくなり、汚れの排出性能が低下してしまう。本発明によれば、流路の一部を絞る絞り部２８により、本体部８内に所定流量の水が流入する場合に、本体部８内の水位を、上昇させやすくすることができると共に、汚れが詰まりやすい絞り部２８を第２排水流路２６の一部に形成させ、第２排水流路２６の汚れの詰まりを抑制することができ、第２排水流路２６の排出性能の低下を抑制することができる。
よって、第１排水流路１２及び第２排水流路２６により、第２排水流路２６の汚れの詰まりを抑制させ且つ第２排水流路２６の排出性能の低下を抑制させながら、封水水位Ｗ２より高い所定水位Ｗ１まで超音波洗浄を行う超音波洗浄性能の向上と本体部８内の水が入口部１０から水受け部６に溢れ出てしまう逆流の防止とを両立させることができる。
【００６３】
また、本発明の第１実施形態による排水装置１によれば、第２排水流路２６の絞り部２８は、第２排水流路２６の途中に設けられている。これにより、第２排水流路２６の絞り部２８は、汚れの付着しやすい入口部２６ａ及び出口部２６ｂ以外の部分において、流路を絞ることができる。従って、汚れが詰まりやすい絞り部２８を第２排水流路２６の途中の一部に形成させ、第２排水流路２６の汚れの詰まりをより抑制することができ、第２排水流路２６の排出性能の低下をより抑制することができる。
【００６４】
さらに、本発明の第１実施形態による排水装置１によれば、第２排水流路２６の入口において、複数の貫通孔３２を形成し且つ汚れの侵入を抑制する侵入抑制部３０が形成されている。よって、侵入抑制部３０は、比較的大きな汚れの侵入を抑制すると共に、複数の貫通孔３２により流路断面積の合計を比較的大きくすることができ、第２排水流路２６の単位時間あたりの排水量を比較的大きくすることができる。従って、第２排水流路２６の汚れの詰まりをより抑制することができ、第２排水流路２６の排出性能の低下をより抑制することができる。
【００６５】
さらに、本発明の第１実施形態による排水装置１によれば、侵入抑制部３０の複数の貫通孔３２のうちの各貫通孔３２の流路断面積は、第２排水流路２６の絞り部２８の流路断面積よりも小さいので、第２排水流路２６内に流入する汚れの大きさが、侵入抑制部３０の複数の貫通孔３２のうちの各貫通孔３２の流路断面積より小さく、さらに絞り部２８の流路断面積よりも小さくされる。さらに、第２排水流路２６の絞り部２８の最小の幅は、各貫通孔３２の最小の幅以上であり、第２排水流路２６内に流入する汚れが主に各貫通孔３２の最小の幅以下の大きさとなるため、侵入した汚れが第２排水流路２６の絞り部２８を通過しやすくできる。これにより、第２排水流路２６の汚れの詰まりをより抑制することができ、第２排水流路２６の排出性能の低下をより抑制することができる。
【００６６】
さらに、本発明の第１実施形態による排水装置１によれば、第２排水流路２６の入口部２６ａの流路断面積を比較的大きくした場合においても、扁平形状の流路断面の長辺側部分を第１排水流路１２側に配置することにより、第１排水流路１２のサイズを維持したまま、第１排水流路１２から外側方向への第２排水流路２６の拡張を抑制し、排水装置全体のサイズの増加を抑制することができる。従って、排水装置１を比較的コンパクトに形成できる。
【００６７】
さらに、本発明の第１実施形態による排水装置１によれば、第２排水流路２６の流路断面は、入口部２６ａから絞り部２８までの間において扁平形状から正方形形状に近づくように変化される。よって、絞り部２８の流路断面を正方形に近づけることができ、絞り部２８を形成しつつも流路の高さ及び幅のうちの最小値を比較的大きく形成させ、絞り部２８の汚れの詰まりをより抑制することができ、第２排水流路２６の排出性能の低下をより抑制することができる。
【００６８】
さらに、本発明の第１実施形態による排水装置１によれば、絞り部２８が封水水位Ｗ２を規定する頂部２６ｃよりも低く且つ頂部２６ｃよりも上流側に配置されるので、絞り部２８が封水中に配置される。よって、絞り部２８に汚れが付着しにくくすることができる。
【００６９】
さらに、本発明の第１実施形態による排水装置１によれば、第２排水流路２６の絞り部２８は、第１傾斜部２６ｆより小さい傾きで上昇する第２傾斜部２６ｇ上に配置されているので、本体部８内の水位が所定水位Ｗ１から下降し、水頭圧が徐々に減少し、第２排水流路２６から排水される排水量が減少する場合や排水の終了に近づく場合であっても、第２排水流路２６の絞り部２８よりも下流側の汚れが第２傾斜部２６ｇに沿って絞り部２８まで流下することを抑制できる。よって、絞り部２８に汚れが詰まることをより抑制することができる。さらに、本体部８内の水位が所定水位Ｗ１から下降し、水頭圧が徐々に減少し、第２排水流路２６から排水される排水量が減少する場合や排水の終了に近づく場合であっても、第２排水流路２６は、第１傾斜部２６ｆより小さい傾きで上昇する第２傾斜部２６ｇを備えているので、第２排水流路２６の第２傾斜部からの排水が継続されやすく、汚れを第２傾斜部２６ｇから出口流路２２に排出させやすくできる。よって、第２排水流路２６の汚れの詰まりをより抑制することができる。
【００７０】
さらに、本発明の第１実施形態による排水装置１によれば、第２排水流路２６は、その入口部２６ａから絞り部２８までの流路の幅が徐々に小さくなるように形成されているので、第２排水流路２６内に流入する汚れが徐々に小さくなる流路の幅に沿って比較的スムーズに流れることができ、第２排水流路２６において汚れが詰まりにくくできる。これにより、第２排水流路２６の汚れの詰まりをより抑制することができ、第２排水流路２６の排出性能の低下をより抑制することができる。
【００７１】
さらに、本発明の第１実施形態による排水装置１によれば。絞り部２８が第２排水流路２６の入口部２６ａと出口部２６ｂとの中間部分よりも下流側に配置されるので、第２排水流路２６の絞り部２８よりも下流側から絞り部２８に戻る汚れの量を比較的少なくすることができ、第２排水流路２６の汚れの詰まりをより抑制することができ、第２排水流路２６の排出性能の低下をより抑制することができる。
【００７２】
次に、図１７乃至図１９により、本発明の第２実施形態による排水装置を説明する。第２実施形態は、本発明による排水装置の第２排水流路を本体部の異なる位置に配置した例である。図１７は本発明の第２実施形態による排水装置を備えた水栓システムを側面から見た側面図である。図１８は図１７のＸＶＩＩＩ−ＸＶＩＩＩ線に沿って見た断面図である。図１９は図１８のＸＩＸ−ＸＩＸ線に沿って見た断面図である。
【００７３】
第２実施形態による排水装置１０１は、上述した第１実施形態による排水装置と構造がほぼ同じであるため、本発明の第２実施形態の第１実施形態とは異なる点のみを説明し、同様な部分については図面に同じ参照符号を付して説明を省略する。
【００７４】
排水装置１０１は、本体部１０８を備え、この本体部１０８は、水受け部６側に開口される入口部１０と、入口部１０の下流側に設けられるトラップ形状の流路である第１排水流路１２と、第１排水流路１２から分岐される第２排水流路１２６と、網かご２４の下方に設けられる封水筒２５とを備えている。封水筒２５は、筒状に形成され、網かご２４の下部近傍からさらに下方の本体部１０８の底部近傍まで延びている。封水筒２５の下端は、後述する第２排水流路１２６の入口部１２６ａより下方まで延びている。
【００７５】
次に、図１８及び図１９を参照して、本発明の第２実施形態による排水装置の第１排水流路１２及び第２排水流路１２６について説明する。
第１排水流路１２は、トラップ形状の流路の頂部１２ｃにより入口部１０の高さ以下の所定水位Ｗ１（図１９参照）を規定するように構成されている。
第２排水流路１２６は、第１排水流路１２の頂部１２ｃより上流側に設けられた第２排水流路１２６の入口部１２６ａから頂部１２ｃより下流側に設けられた出口部１２６ｂまで延びるバイパス流路を形成する。第２排水流路１２６は、入口部１２６ａから下流側に向けて斜め下方に下降する第２排水流路下降部１２６ｉを備えている。第２排水流路１２６の入口部１２６ａは、封水筒２５よりも外側の第１排水流路１２の接続部１２ａの側壁面に形成されている。入口部１２６ａは、第２排水流路１２６の流路の最も高い部分を構成する。第２排水流路１２６は、入口部１２６ａから出口流路２２に設けられた出口１２６ｂまで下方向きにほぼ直線状に延びる。第２排水流路１２６は、入口部１２６ａにより封水水位Ｗ２を規定する。第２排水流路１２６は、例えばその流路の最も高い部分により封水水位Ｗ２を規定するように構成される。例えば、第２排水流路１２６の中間部分又はその出口が流路の最も高い部分を構成することにより封水水位Ｗ２を規定してもよい。また、封水水位Ｗ２は、第２排水流路１２６以外の構成により規定されていてもよい。封水水位Ｗ２は、網かご２４より下方に規定される。封水水位Ｗ２は、第１排水流路上昇部１２ｂの中央近傍又は下側部分に位置し、本体部１０８の中央近傍又は下側部分に位置している。入口１２６ａは、第１排水流路１２の頂部１２ｃよりも低い高さに設けられている。第２排水流路１２６の流路断面は、円形形状に形成されている。
【００７６】
第２排水流路１２６は、その入口１２６ａにおいてその流路の一部を絞る絞り部１２８を備えている。絞り部１２８はほぼ横向きに延びると共に下流側に向かってわずかに下り傾斜を形成している。絞り部１２８は円管状に形成され、流路断面は円形形状に形成されている。絞り部１２８の流路の直径は、第２排水流路下降部１２６ｉの流路の直径よりも小さい。
【００７７】
第２排水流路１２６の絞り部１２８は、単位時間あたりに第２排水量を排水できるような第２の流路断面積Ｄ２（図１８参照）に形成されている。第２排水流路１２６の第２の流路断面積Ｄ２は第１排水流路１２の第１の流路断面積Ｄ１よりも小さい。よって、第２排水流路１２６は、絞り部１２８により第１排水流路１２よりも大きな流路抵抗を有する。第２排水流路１２６は、第２排水流路１２６の絞り部１２８の単位時間あたりの第２排水量を超える単位時間あたりの流入量の水が本体部１０８内に流入する場合に、本体部１０８内の水位を、封水水位Ｗ２より高く且つ第１排水流路１２により規定される所定水位Ｗ１まで少なくとも上昇させるように機能する。
【００７８】
第１排水流路１２及び第２排水流路１２６は、本体部１０８内の水位が所定水位Ｗ１を超えないように、本体部１０８内に流入する水を出口流路２２に排水させる排水手段として機能する。少なくとも第１排水流路１２は、本体部１０８内の水位が所定水位Ｗ１を超えないように、第１排水流路１２内の水を出口流路２２に排水させるように機能する。排水手段は、第１排水流路１２及び第２排水流路１２６により、本体部１０８内の水位が所定水位Ｗ１に到達した場合、本体部１０８から出口流路２２に流出する水の単位時間あたりの排水量が本体部８内に流入する水の単位時間あたりの流入量以上にされるように形成されている。
【００７９】
また、第１排水流路１２及び第２排水流路１２６は、本体部１０８内に流入する水により、本体部１０８内の水位を、第１排水流路上昇部１２ｂ内の封水水位Ｗ２より高く且つ入口部１０の高さ以下の所定水位Ｗ１まで上昇させる水位上昇手段として機能する。少なくとも第２排水流路１２６は、絞り部１２８の単位時間あたりの第２排水量を超える単位時間あたりの流入量の水が本体部１０８内に流入する場合に、本体部１０８内の水位を、封水水位Ｗ２より高く且つ第１排水流路１２により規定される所定水位Ｗ１まで少なくとも上昇させるように機能する。
【００８０】
次に、図１９により、上述した本発明の第２実施形態による排水装置の動作（作用）を説明する。
図１９には、水栓装置４から吐水がなされる前の待機状態が示されている。待機状態においては本体部１０８内の水位は封水水位Ｗ２となっている。封水筒２５が封水水位Ｗ２より下方まで延びているので、待機状態において、臭気が出口流路２２から入口部１０に上がってくることが確実に防止されている。待機状態においては、水栓装置４は止水された状態であり、超音波発振器１６も停止された状態である。
【００８１】
水栓装置４からの吐水が行われると、第１排水流路１２の接続部１２ａ内に供給された水は、第２排水流路１２６の入口１２６ａから第２排水流路１２６を通って出口流路２２に排水される。
【００８２】
第２排水流路１２６の絞り部１２８の単位時間あたりの第２排水量（又は一定時間あたりの総排水量）を超える単位時間あたりの流入量（又は一定時間あたりの総流入量）の水が本体部１０８内に流入する場合に、水が第２排水流路１２６から流出しきれず、本体部１０８内に貯留する。よって、第１排水流路１２及び第２排水流路１２６により、本体部１０８内に流入する水を第２排水流路１２６を介して出口流路２２に流出させながら本体部１０８の第１排水流路１２の第１排水流路上昇部１２ｂ内の水位を自動的に上昇させる。第２排水流路１２６は、その流路の一部を絞る絞り部１２８を備えているので、単位時間当たりの第２排水量を比較的低く抑制することができ、比較的少量の水によって第１排水流路上昇部１２ｂ内の水位を上昇させやすくできる。
【００８３】
さらに水が本体部１０８内に流入するとき、第１排水流路上昇部１２ｂ内の水位が第１排水流路１２の頂部１２ｃにより規定される所定水位Ｗ１まで上昇される。第１排水流路１２内の水位が所定水位Ｗ１まで到達した状態においては、本体部１０８内に流入する水が、第２排水流路１２６を介して出口流路２２に流出されると共に、第１排水流路１２の頂部１２ｃから下降部１２ｄに流出される。
【００８４】
本体部８内に水が第２排水量を超える流入量でさらに流入されても、本体部１０８内の水位は所定水位Ｗ１に維持される。制御部２０は、水位検知センサ１８により水位が入口部１０まで上昇した所定水位Ｗ１となっていることを判定する。水位が所定水位Ｗ１である状態で制御部２０が超音波発振器１６を作動させることにより、本体部１０８の概ね全体に超音波洗浄を行うことができ、さらに本体部１０８内の汚れが付着しやすい流路部分、例えば入口部１０及び網かご２４に超音波洗浄を行うことができる。
【００８５】
このように、第１排水流路１２及び第２排水流路１２６により、本体部１０８内の水位が所定水位Ｗ１を超えないように、本体部８内に流入する水を出口流路２２に排水させている。これにより、本体部１０８内の水位が所定水位Ｗ１を超えて、本体部８内の水が入口部１０から水受け部６の底面６ｂに溢れ出てしまうことを防止することができる。
【００８６】
本体部８内への水の流入がなくなる又は水の流量が低下されるとき、第１排水流路１２及び第２排水流路１２６により、第２排水流路１２６の入口１２６ａより上方の水が第２排水流路１２６を介して出口流路２２に流出され、第１排水流路上昇部１２ｂの水位が徐々に低下する。第２排水流路１２６は、水位が入口１２６ａより上方にある場合には、概ね単位時間あたりに第２排水量を排水し続けている。
【００８７】
図１９に示すように、第１排水流路１２の接続部１２ａ及び第１排水流路上昇部１２ｂの水位が第２排水流路１２６の入口１２６ａまで低下すると、第２排水流路１２６からの水の流出が終了し、排水装置１は待機状態に戻る。このとき本体部８内の水位は封水水位Ｗ２となっている。
【符号の説明】
【００８８】
１        ：排水装置
６        ：水受け部
６ａ      ：底部
８        ：本体部
１０      ：入口部
１２      ：第１排水流路
１２ｂ    ：第１排水流路上昇部（上昇流路）
１２ｃ    ：頂部
１２ｄ    ：下降部（下降流路）
１６      ：超音波発振器
２２      ：出口流路
２６      ：第２排水流路
２６ａ    ：入口部
２６ｂ    ：出口
２６ｂ    ：出口部
２６ｃ    ：頂部
２６ｄ    ：中間部分
２６ｅ    ：長辺側部分
２６ｆ    ：第１傾斜部
２６ｇ    ：第２傾斜部
２８      ：絞り部
３０      ：侵入抑制部
１０１    ：排水装置
１０８    ：本体部
１２６    ：第２排水流路
１２６ａ  ：入口部
１２６ａ  ：入口
１２６ｂ  ：出口部
１２８    ：絞り部
Ｂ１      ：幅
Ｂ２      ：幅
Ｂ３      ：幅
Ｂ４      ：幅
Ｂ５      ：幅
Ｄ３      ：流路断面積
Ｈ１      ：高さ
Ｈ２      ：高さ
Ｗ１      ：所定水位
Ｗ２      ：封水水位
【図１】
2020020135.tif 000003
【図２】
2020020135.tif 000004
【図３】
2020020135.tif 000005
【図４】
2020020135.tif 000006
【図５】
2020020135.tif 000007
【図６】
2020020135.tif 000008
【図７】
2020020135.tif 000009
【図８】
2020020135.tif 000010
【図９】
2020020135.tif 000011
【図１０】
2020020135.tif 000012
【図１１】
2020020135.tif 000013
【図１２】
2020020135.tif 000014
【図１３】
2020020135.tif 000015
【図１４】
2020020135.tif 000016
【図１５】
2020020135.tif 000017
【図１６】
2020020135.tif 000018
【図１７】
2020020135.tif 000019
【図１８】
2020020135.tif 000020
【図１９】
2020020135.tif 000021